【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備え、ここにおいて、前記第１の部分のサイズは、前記周波数帯域幅のサイズに基づく、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、
を備える方法。
【請求項２】
前記第１の部分は８ビットを備える、請求項１に記載の方法。
【請求項３】
前記第１の部分は１１ビットを備える、請求項１に記載の方法。
【請求項４】
前記第１の部分の前記サイズは、前記周波数帯域幅の各チャネル用の８または１１ビットに基づく、請求項１に記載の方法。
【請求項５】
前記第２の部分は局識別子（ＩＤ）フィールドを備える、請求項１に記載の方法。
【請求項６】
前記局識別子（ＩＤ）フィールドは９または１１ビットを備える、請求項５に記載の方法。
【請求項７】
前記第２の部分は空間多重化および変調フィールドを備える、請求項１に記載の方法。
【請求項８】
前記空間多重化および変調フィールドは１０ビットを備える、請求項７に記載の方法。
【請求項９】
前記第１の部分は、前記第２の部分を符号化するのとは別個に符号化される、請求項１に記載の方法。
【請求項１０】
前記ＳＩＧフィールドは、前記１つまたは複数のコードブロックのうちの最終コードブロックの長さが別のコードブロックの長さと等しくなるようなビットを備えるパディングフィールドをさらに備え、ここにおいて、前記周波数帯域幅のチャネル中の前記１つまたは複数のコードブロックすべての全長は、別のチャネル中の前記１つまたは複数のコードブロックすべての全長と同じである、請求項１に記載の方法。
【請求項１１】
前記ＳＩＧフィールドは、前記１つまたは複数のコードブロックのうちの最終コードブロックの長さがＯＦＤＭシンボル境界と整合するようなビットを備えるパディングフィールドをさらに備える、請求項１に記載の方法。
【請求項１２】
ワイヤレス通信のための装置であって、
複数の受信デバイスへの送信用に、プリアンブルフィールドを備えるパケットを生成するための手段と、前記プリアンブルフィールドは信号（ＳＩＧ）フィールドを備える、
周波数帯域幅の各チャネル用の前記ＳＩＧフィールドの第１の部分の内容を符号化するための手段と、前記第１の部分は、すべての受信デバイスについての情報を備え、ここにおいて、前記第１の部分のサイズは、前記周波数帯域幅のサイズに基づく、
前記周波数帯域幅の各チャネル用の前記ＳＩＧフィールドの第２の部分の内容を符号化するための手段と、前記第２の部分は１つまたは複数のコードブロックを備え、前記１つまたは複数のコードブロックは、前記複数の受信デバイスの各受信デバイスについての情報を含む、
を備える装置。
【請求項１３】
ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の第１のチャネル用の前記ＳＩＧフィールドの第１の部分の内容を符号化することと、前記第１の部分は、すべての受信デバイスについての情報を備え、ここにおいて、前記第１の部分のサイズは、前記周波数帯域幅のサイズに基づく、
前記周波数帯域幅の前記第１のチャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含み、前記第１の部分は、前記第２の部分の長さの指示をさらに備える、
を備える方法。
【請求項１４】
ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの内容を符号化することと、前記ＳＩＧフィールドは、すべての受信デバイスについての情報を備える第１の部分と、ここにおいて、前記第１の部分のサイズは、前記周波数帯域幅のサイズに基づき、前記複数の受信デバイスのうちの受信デバイスの１つまたは複数の組合せのためのユーザフィールドと巡回冗長検査（ＣＲＣ）フィールドとを備える第２の部分とを備える、
を備える方法。
【請求項１５】
少なくとも１つのコンピュータに、請求項１〜請求項１１または請求項１３または請求項１４のうちのいずれかのステップを実行させる命令を備える、コンピュータプログラム。
【手続補正２】
【補正対象書類名】明細書
【補正対象項目名】０１１３
【補正方法】変更
【補正の内容】
【０１１３】
[00120]上記は本開示の態様を対象とするが、それの基本的範囲から逸脱することなく本開示の他の態様およびさらなる態様が考案され得、それの範囲は以下の特許請求の範囲によって決定される。
以下に本願の出願当初の特許請求の範囲に記載された発明を付記する。
[Ｃ１]  ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備える、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、を備える方法。
[Ｃ２]  前記第１の部分は８ビットを備える、Ｃ１に記載の方法。
[Ｃ３]  前記第１の部分は１１ビットを備える、Ｃ１に記載の方法。
[Ｃ４]  前記第１の部分のサイズは、周波数帯域幅の各チャネル用の前記周波数帯域幅のサイズ、すなわち、８または１１ビットに基づく、Ｃ１に記載の方法。
[Ｃ５]  前記第２の部分は局識別子（ＩＤ）フィールドを備える、Ｃ１に記載の方法。
[Ｃ６]  前記局識別子（ＩＤ）フィールドは９または１１ビットを備える、Ｃ５に記載の方法。
[Ｃ７]  前記第２の部分は空間多重化および変調フィールドを備える、Ｃ１に記載の方法。
[Ｃ８]  前記空間多重化および変調フィールドは１０ビットを備える、Ｃ７に記載の方法。
[Ｃ９]  前記第１の部分は、前記第２の部分を符号化するのとは別個に符号化される、Ｃ１に記載の方法。
[Ｃ１０]  前記ＳＩＧフィールドは、前記１つまたは複数のコードブロックのうちの最終コードブロックの長さが別のコードブロックの長さと等しくなるようなビットを備えるパディングフィールドをさらに備え、前記周波数帯域幅のチャネル中の前記１つまたは複数のコードブロックすべての全長は、別のチャネル中の前記１つまたは複数のコードブロックすべての全長と同じである、Ｃ１に記載の方法。
[Ｃ１１]  前記ＳＩＧフィールドは、前記１つまたは複数のコードブロックのうちの最終コードブロックの長さがＯＦＤＭシンボル境界と整合するようなビットを備えるパディングフィールドをさらに備える、Ｃ１に記載の方法。
[Ｃ１２]  前記周波数帯域幅のチャネルの干渉レベルに基づいて前記パケットを選択的に送信することをさらに備える、Ｃ１に記載の方法。
[Ｃ１３]  選択的に送信することは、前記周波数帯域幅の２次チャネルの干渉レベルが閾を満足するとき、前記周波数帯域幅の１次チャネル上で前記パケットを送信することを備える、Ｃ１２に記載の方法。
[Ｃ１４]  ワイヤレス通信のための装置であって、
プロセッサを備え、前記プロセッサは、
受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備える、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、を行うように構成される、装置。
[Ｃ１５]  前記第１の部分は８ビットを備える、Ｃ１４に記載の装置。
[Ｃ１６]  前記第１の部分は１１ビットを備える、Ｃ１４に記載の装置。
[Ｃ１７]  前記第１の部分のサイズは前記周波数帯域幅のサイズに基づく、Ｃ１４に記載の装置。
[Ｃ１８]  前記第２の部分は局識別子（ＩＤ）フィールドを備える、Ｃ１４に記載の装置。
[Ｃ１９]  前記局識別子（ＩＤ）フィールドは９ビットを備える、Ｃ１８に記載の装置。
[Ｃ２０]  前記第２の部分は空間多重化および変調フィールドを備える、Ｃ１４に記載の装置。
[Ｃ２１]  前記空間多重化および変調フィールドは１０ビットを備える、Ｃ１４に記載の装置。
[Ｃ２２]  前記１つまたは複数のコードブロックの各々は２つのユーザブロックを備える、Ｃ１４に記載の装置。
[Ｃ２３]  前記ＳＩＧフィールドは、前記１つまたは複数のコードブロックのうちの最終コードブロックの長さが別のコードブロックの長さと等しくなるようなビットを備えるパディングフィールドをさらに備える、Ｃ１４に記載の装置。
[Ｃ２４]  前記ＳＩＧフィールドは、前記１つまたは複数のコードブロックのうちの最終コードブロックの長さがＯＦＤＭシンボル境界と整合するようなビットを備えるパディングフィールドをさらに備える、Ｃ１４に記載の装置。
[Ｃ２５]  前記プロセッサは、前記周波数帯域幅のチャネルの干渉レベルに基づいて前記パケットを選択的に送信するようにさらに構成される、Ｃ１４に記載の装置。
[Ｃ２６]  前記プロセッサは、前記周波数帯域幅の２次チャネルの干渉レベルが閾を満足するとき、前記周波数帯域幅の１次チャネル上で前記パケットを選択的に送信する、Ｃ２５に記載の装置。
[Ｃ２７]  ワイヤレス通信のための装置であって、
複数の受信デバイスへの送信用に、プリアンブルフィールドを備えるパケットを生成するための手段と、前記プリアンブルフィールドは信号（ＳＩＧ）フィールドを備える、  周波数帯域幅の各チャネル用の前記ＳＩＧフィールドの第１の部分の内容を符号化するための手段と、前記第１の部分は、すべての受信デバイスについての情報を備える、
前記周波数帯域幅の各チャネル用の前記ＳＩＧフィールドの第２の部分の内容を符号化するための手段と、前記第２の部分は１つまたは複数のコードブロックを備え、前記１つまたは複数のコードブロックは、前記複数の受信デバイスの各受信デバイスについての情報を含む、を備える装置。
[Ｃ２８]  実行されると、装置にワイヤレス通信の方法を実行させる命令が符号化された、コンピュータ可読媒体を備えるコンピュータプログラム製品であって、前記方法は、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備える、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、を備える、コンピュータプログラム製品。
[Ｃ２９]  ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の第１のチャネル用の前記ＳＩＧフィールドの第１の部分の内容を符号化することと、前記第１の部分は、すべての受信デバイスについての情報を備える、
前記周波数帯域幅の前記第１のチャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含み、前記第１の部分は、前記第２の部分の長さの指示をさらに備える、を備える方法。
[Ｃ３０]  前記周波数帯域幅の第２のチャネル用の前記ＳＩＧフィールドの第３の部分の内容を符号化することと、前記第３の部分は、すべての受信デバイスについての情報を備える、  前記周波数帯域幅の前記第２のチャネル用の前記ＳＩＧフィールドの第４の部分の内容を符号化することと、前記第４の部分は１つまたは複数のコードブロックを備え、前記１つまたは複数のコードブロックは、前記複数の受信デバイスの各受信デバイスについての情報を含み、前記第３の部分は、前記第４の部分の長さの指示をさらに備える、をさらに備える、Ｃ２９に記載の方法。
[Ｃ３１]  ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの内容を符号化することと、前記ＳＩＧフィールドは、すべての受信デバイスについての情報を備える第１の部分と、前記複数の受信デバイスのうちの受信デバイスの１つまたは複数の組合せのためのユーザフィールドと巡回冗長検査（ＣＲＣ）フィールドとを備える第２の部分とを備える、を備える方法。
[Ｃ３２]  前記ＳＩＧフィールドの前記内容を符号化することは、前記第１の部分と前記第２の部分とを同時に符号化することを備える、Ｃ３１に記載の方法。
[Ｃ３３]  前記ＣＲＣフィールドは、前記周波数帯域幅の前記チャネルによって異なる、Ｃ３１に記載の方法。